(57)【要約】【課題】  バーチャル工場見学等が可能な動画像を扱う情報検索システム、及び、本情報検索システムを有効に利用した情報教育システム及びその方法を提供する。【解決手段】各工場に関する動画像、静止画像、テキスト(文字)情報等を作成する情報端末ＰＣ５と、前記情報端末ＰＣ５から送信された前記情報が入力されるサーバ２と、サーバ２に接続され、サーバ２が前記情報端末ＰＣ５から入力された上記情報を記録、保存するデータベース３と、前記サーバ２に接続されたデータベース３に記憶された情報を、インターネット通信網４を通じて検索する複数のユーザーＰＣ６及び複数の管理者ＰＣ７とを備える。データベース３には、各工場の工場見学用情報及び技術プロセス情報を含み、ナレーション情報と同期した動画像を含んでいる。前記動画像には、動画像の流れに関連付けられた文字情報が付加されている。【選択図】  図１
2006323474.tif 000002
【特許請求の範囲】
【請求項１】
情報を作成する情報端末と、
前記情報端末にて作成された前記情報が入力されるサーバと、
前記サーバに接続され、前記サーバが前記情報端末から入力された前記情報を記録するデータベースと、
前記サーバに対して前記データベースに記録された前記情報の検索を行うユーザー情報端末とを備える
ことを特徴とする情報検索システム。
【請求項２】
前記情報は、工場見学用情報及び技術プロセス情報の少なくともいずれかを含む
ことを特徴とする請求項１記載の情報検索システム。
【請求項３】
前記情報は、ナレーション情報と同期した動画像を含む
ことを特徴とする請求項１又は２記載の情報検索システム。
【請求項４】
前記情報は、画像コンテンツに、その画像の内容に対応した文字情報が関連付けられて付加されて構成されていている
ことを特徴とする請求項１又は２記載の情報検索システム。
【請求項５】
前記データベースは、動画像に、その動画像の内容に対応した文字情報が動画像の流れに関連付けられて付加されて構成されていている
ことを特徴とする請求項３記載の情報検索システム。
【請求項６】
前記サーバは、前記ナレーション情報もしくは関連付けられた文字情報の少なくとも何れか一方の情報に基づいて前記動画像を検索する
ことを特徴とする請求項３、４、又は５記載の情報検索システム。
【請求項７】
請求項１〜６のいずれか１項に記載の情報検索システムと、
教育に関するスケジュールを作成する管理者情報端末とを備え、
前記ユーザー情報端末は、前記管理者情報端末から送信されたスケジュールを受信し、前記スケジュールに基づいて前記サーバに対して前記データベースに記録された前記情報の検索を行い、前記サーバでの検索結果に基づいてレポートを作成し、前記管理者情報端末に対して前記レポートを送信する
ことを特徴とする情報教育システム。
【請求項８】
前記レポートは、前記検索の履歴を含む
ことを特徴とする請求項７記載の情報教育システム。
【請求項９】
情報を作成する情報端末と、
前記情報端末から送信された前記情報を受信するサーバと、
前記サーバに接続され、前記サーバが前記情報端末から受信した前記情報を記録するデータベースと、
前記サーバに対して前記データベースに記録された前記情報の検索を行うユーザー情報端末と、
教育に関するスケジュールを作成する管理者情報端末とを備えた情報教育システムを用い、
前記ユーザー情報端末が、前記管理者情報端末から送信されたスケジュールを受信するステップと、
前記ユーザー情報端末が、前記スケジュールに基づいて前記サーバに対して前記データベースに記録された前記情報の検索を行うステップと、
前記ユーザー情報端末が、前記サーバでの検索結果に基づいてレポートを作成するステップと、
前記ユーザー情報端末が、前記管理者情報端末に対して前記レポートを送信するステップとを含むことを特徴とする情報教育方法。
【発明の詳細な説明】
【技術分野】
【０００１】
本発明は、インターネットのホームページを利用した情報検索システム、情報教育システム及びその方法に関する。
【背景技術】
【０００２】
情報検索システムのうち特に技術情報を扱う技術情報検索システムは、もの作りに興味を持つ学生、もの作りを知りたい学びたい教育機関や新入社員、さまざまな製造プロセスを通じて新たなアイデアを創造する研究者、そして実際に企業を調べ発注したい技術者、発注者のための有用なシステムである。
【０００３】
技術者がプロとして活躍するには、企業内における技術や役割、その職責にとどまらず、幅広い製造プロセスに関する基礎知識が必要である。
【０００４】
そこで、実際の工場や技術を検索して、実際に工場見学したりバーチャル工場見学したりすることにより、製造プロセス、用途、素材、各企業の特色や技術を理解し、教育から製品の開発・設計、実際の発注業務などの実務にも活用できるように、多くの技術映像と企業情報の収集を行うことが重要である。
【０００５】
従来のあるバーチャル工場見学システムでは、工場見学の希望者はカスタマＰＣ（Personal Computer）を用いてインターネットサーバにアクセスして工場見学の予約を行い、工場見学日には各工場に設けられたカメラからの映像を中継サーバおよびインターネットサーバを介してカスタマＰＣに配信する。工場見学の希望者はカスタマＰＣに配信される映像を観ることによって工場見学を行うことができる。これにより、工場まで足を運ぶ手間や交通費をかけることなく工場見学を行うことができる（例えば、特許文献１参照。）。
【特許文献１】特開２００２−３６６６９５号公報
【発明の開示】
【発明が解決しようとする課題】
【０００６】
しかし、従来の情報検索システムでは、技術に関するテキスト情報や静止画像を多く見ることができるが、動画像に関しては十分な対応がなされていない。また、動画像に関する検索機能が不十分であるという問題がある。
【０００７】
また、上記の工場見学システムでは、見学希望者が自由な時間に工場を見学できるわけではなく、見学希望日時を含む見学希望内容を入力し、見学希望内容に基づいて見学範囲が許可されたり、見学希望日時が工場の稼働日であるかどうかを判断したりする必要があるという問題がある。また、映像が十分に編集されていないこと、解説となるナレーションが映像の再生中に入らないこと等により、見学者にとって理解しにくい内容となることが多い。
【０００８】
また、この情報検索システムを有効に利用した学生や新入社員等の情報教育システムの確立も課題の一つである。
【０００９】
そこで、本発明は、バーチャル工場見学等が可能な動画像を扱う情報検索システム、及び、本情報検索システムを有効に利用した情報教育システム及びその方法を提供することを目的とする。
【課題を解決するための手段】
【００１０】
上記の目的を達成するため、本発明に係る情報検索システムは、情報を作成する情報端末と、前記情報端末にて作成された前記情報が入力されるサーバと、前記サーバに接続され、前記サーバが前記情報端末から入力された前記情報を記録するデータベースと、前記サーバに対して前記データベースに記録された前記情報の検索を行うユーザー情報端末とを備えることを特徴としている。
【００１１】
また、前記情報は、工場見学用情報及び技術プロセス情報の少なくともいずれかを含む
ことを特徴としている。
【００１２】
また、前記情報は、ナレーション情報と同期した動画像を含むことを特徴としている。
【００１３】
また、前記情報は、画像コンテンツに、その画像の内容に対応した文字情報が関連付けられて付加されて構成されていていることを特徴としている。
【００１４】
また、前記データベースは、動画像に、その動画像の内容に対応した文字情報が動画像の流れに関連付けられて付加されて構成されていていることを特徴としている。
【００１５】
また、前記サーバは、前記ナレーション情報もしくは関連付けられた文字情報の少なくとも何れか一方の情報に基づいて前記動画像を検索することを特徴としている。
【００１６】
また、本発明の情報教育システムは、上記情報検索システムと、教育に関するスケジュールを作成する管理者情報端末とを備え、前記ユーザー情報端末は、前記管理者情報端末から送信されたスケジュールを受信し、前記スケジュールに基づいて前記サーバに対して前記データベースに記録された前記情報の検索を行い、前記サーバでの検索結果に基づいてレポートを作成し、前記管理者情報端末に対して前記レポートを送信することを特徴としている。
【００１７】
また、前記レポートは、前記検索の履歴を含むことを特徴としている。
【００１８】
また、本発明の情報教育方法は、情報を作成する情報端末と、前記情報端末から送信された前記情報を受信するサーバと、前記サーバに接続され、前記サーバが前記情報端末から受信した前記情報を記録するデータベースと、前記サーバに対して前記データベースに記録された前記情報の検索を行うユーザー情報端末と、教育に関するスケジュールを作成する管理者情報端末とを備えた情報教育システムを用い、
前記ユーザー情報端末が、前記管理者情報端末から送信されたスケジュールを受信するステップと、前記ユーザー情報端末が、前記スケジュールに基づいて前記サーバに対して前記データベースに記録された前記情報の検索を行うステップと、前記ユーザー情報端末が、前記サーバでの検索結果に基づいてレポートを作成するステップと、前記ユーザー情報端末が、前記管理者情報端末に対して前記レポートを送信するステップとを含むことを特徴としている。
【発明の効果】
【００１９】
本発明に係る情報検索システムによれば、各ユーザーが、工場まで足を運ぶ手間、時間、交通費をかけることなく、自分の都合のよい時間に、都合のよい場所で、遠隔地にある工場の見学用情報や技術プロセス情報等を検索して見ることができる。
【００２０】
また、ユーザーはナレーションを基にキーワードを入力して検索することにより、目的とする動画像や静止画像、テキスト情報等を検索することができ、容易にそれらの情報及びその関連情報の全部又は一部を見ることができる。
【００２１】
本発明に係る情報教育システム及びその方法によれば、各管理者は各ユーザー（新入社員等）に対して各種の指示ができ、それに対して各ユーザーは上記情報検索システムを利用してレポートを作成することができる。
【００２２】
このように、本発明に係る情報検索システム、情報教育システム及びその方法により、様々な技術や製造プロセスに精通した優秀な人材を生み出す一翼となることができる。
【発明を実施するための最良の形態】
【００２３】
以下では、本発明を実施するための最良の形態について、実施例を示した図面を参照しながら説明を行う。
【実施例１】
【００２４】
図１は、本発明の実施例１に係る技術情報検索システムのブロック図である。技術情報検索システム１は、各工場に関する動画像、静止画像、テキスト(文字)情報等を作成する情報端末ＰＣ（Personal Computer）５と、前記情報端末ＰＣ５から送信された前記情報が入力されるサーバ２と、サーバ２に接続され、サーバ２が前記情報端末ＰＣ５から入力された上記情報を記録、保存するデータベース３と、前記サーバ２に接続されたデータベース３に記憶された情報を、インターネット通信網４を通じて検索する複数のユーザーＰＣ６及び複数の管理者ＰＣ７とを備える。前記情報端末PC５が前記サーバ２に情報を入力するときには、専用回線やインターネット通信網４や専用回線等の通信手段を介して入力したり、ＤＶＤ等の可搬媒体を介して入力することができる。
【００２５】
前記サーバ２は、前記データベース３に記憶された情報を検索結果に応じてストリーミングを提供するオンデマンド型のデータベースサーバの機能を備えている。
【００２６】
データベース３に記憶されている前記情報は、各工場の工場見学用情報及び技術プロセス情報を含み、それらは、それぞれナレーション情報と同期した動画像を含んでいる。すなわち、実際に工場見学された際に説明を受ける解説が、動画像と同期してナレーションとして表現されている。
【００２７】
また、前記動画像には、動画像の流れに関連付けられた文字情報が付加されている。
【００２８】
図２は、本発明の実施例１に係る技術情報検索システムにおけるホームページのメニュー画面の一例を示す図である。メニュー画面１０では、主要な4つのコンテンツに移動するため、「バーチャル工場見学」ボタン１１と、「技術ピックアップムービー」ボタン１２と、「工場検索」ボタン１３と、「技術Ｑ＆Ａ」ボタン１４と、各コンテンツ中にあるキーワードを検索したい場合にその検索キーワードを記入する検索キーワード欄１５等が表示される。
【００２９】
第１のコンテンツである「バーチャル工場見学」では、多数の登録企業の一覧の中から選択することにより、登録企業の有する技術と製造プロセスについて数分でバーチャル工場見学をすることができる。また、実際に工場を見学した際に説明を受ける言葉（ナレーション）を対象にキーワード検索することも可能である。なお、検索においては、「全て含む」又は「いずれか含む」を選択できる。検索結果は、例えば、「バーチャル工場見学」で一致（234）  「技術ピックアップムービー」で一致（127）  「工場検索」で一致 (507)   というように、コンテンツごとの一致件数が表示される。また、検索を用いずに「バーチャル工場見学」の一覧画面上で特定の工場を選択して見学することもできる。
【００３０】
図３は、本発明の実施例１に係る技術情報検索システムにおける「バーチャル工場見学」の画面の一例を示す図である。「バーチャル工場見学」の画面２０では、工場内の様子を表す動画や静止画を表示する映像表示モニタ２１と、「バーチャル工場見学」のタイトル（例えば、大型真空圧空成形［＊＊会社］）を表示するタイトル表示欄２２と、「バーチャル工場見学」の全体を見るのに必要な時間（例えば、4分54秒）を表示する見学時間表示欄２３と、「バーチャル工場見学」におけるナレーション（例えば、・・・この成形機は最大1500mm、2500mmの生産が可能です。・・・）を文字情報として表示するナレーション表示欄２４と、「バーチャル工場見学」の全体における現在の進行場所を色等で表示する進行表示部２５と、ナレーション又は映像中に挿入されたキャプションにおいて検索キーワードと一致したポイントがある場合に矢印及び色でその一致位置を表示するための検索一致ポイント３０ａ〜３０ｃと、「バーチャル工場見学」を開始するための再生（工場見学スタート）ボタン２６や、停止ボタン２７、巻き戻しボタン２８、早送りボタン２９等が表示される。
【００３１】
ユーザーが再生ボタン２６をクリックすることで動画像再生ソフトウエアが立ち上がり、「バーチャル工場見学」の動画像及びナレーションの再生が開始される。なお、通信ネットワークはブロードバンドの環境であり、ソフトウエアはバッファリングやストリーミング再生に対応しているので、見学者にとって待ち時間はほとんど発生しない。
【００３２】
検索一致ポイント３０ａ〜３０ｃの指す進行表示部２５の位置にユーザーがカーソルをあてると、その時点の映像の静止画像が映像表示モニタ２１に表示され、その時点のナレーションがナレーション表示欄２４に表示される。また、ナレーション中に登場する検索キーワードが赤字で強調表示される。
【００３３】
なお、「バーチャル工場見学」の画面中に、見学している企業のホームページアドレス、企業PRコメント、見学内容（例えば、真空成形→圧空成形→NC加工）、得意技術分野（例えば、真空成形・圧空成形）等が表示されるようにしてももちろんよい。なお、このページにはパスワードがないと入れないように設定を行って登録されたユーザーのみに配信するようにしてもよい。また、数個のサンプルムービーのみはパスワード無しで配信されるようにしてもよい。
【００３４】
第２のコンテンツである「技術ピックアップムービー」は、工場動画からピックアップした技術やプロセスの解説ショートムービーをユーザーに配信するためのコンテンツである。「技術ピックアップムービー」の画面構成は上記の「バーチャル工場見学」の画面構成と同様である。また、ナレーション検索等の各機能が「バーチャル工場見学」と同様に可能である。このように「バーチャル工場見学」と「技術ピックアップムービー」とを分けることで、工場見学のニーズと純粋に技術を知りたいというニーズとに個別に応えることができる。
【００３５】
第３のコンテンツである「工場検索」は、本技術情報検索システムに登録された多数の製造業の企業の工場データベースを基に、検索キーワードを入力することにより条件に該当する企業を検索できるシステムである。データベースには企業の概要、保有設備、得意技術などが掲載されている。加工分類（大分類・小分類）、設備情報、CAD／CAMや住所（都道府県）など、様々な条件又はその組み合わせで工場を検索し、検索結果として表示された工場に企業ホームページやメール等で直接問い合わせることもできる。
【００３６】
また、本技術情報検索システムに登録された多数の製造業の企業に関する加工分類一覧を見ることもできる。例えば、加工分類は、設計（金型設計、電気設計、製品部品設計、シミュレーション、産業用機器設計）、機械加工・板金（機械加工、板金パイプ加工、カッティングブランク、溶接）、試作・治具（治具製造、試作品加工）、金型製作（プレス金型、プラ金型、鍛造金型、鋳造金型、ゴム金型、ガラス・シリコン型）、量産（金属プレス、プラスチック、鍛造、鋳造、ゴム、ガラス・シリコン）、表面処理（メッキ・化成処理、塗装、研磨・ラップ、印刷、その他表面処理、熱処理）、組立て検査（組立、修理、検査）、部品製造（電気基板・電子部品、電気部品、鋲螺、バネ、機械部品、その他部品）、製品製造（機械・製品製造）等である。
【００３７】
第４のコンテンツである「技術Ｑ＆Ａ」は、モノづくりに関する「質問」と「回答」をつなぐホームページであり、モノづくりに関わる人が、設計、製造、経営の現場で直面する問題について、参加者同士が質問・回答を通じて知恵を出し合うための場である。質問の前に過去に同様の質問がなかったかを「技術Ｑ＆Ａ」のトップページの検索機能で検索することもできる。 ユーザーは、質問の際に質問の経緯や現在の状況を具体的に書き込む。満足する回答が得られたら、回答の受付を締め切る。 回答者とのやりとりの中で新たな質問を思いついたときは、新しい質問を作成し再び質問メールを発信すると、新たな回答者の参加が期待できる。
【００３８】
なお、上記の主要な4つのコンテンツ以外に、会員登録、動画撮影の問い合わせ、アンケート、工場見学アクセスランキング等もホームページ画面上に表示されるような構成にしてももちろんよい。アンケートのページでは、どんな技術動画を見たいのか等についての意見をユーザーから受信することで、より充実した内容にしていくことができる。
【００３９】
また、図面記号など設計を行う際の種々の基礎知識を公開したり、新着動画があった場合の会員へのメール配信を行ったりしてもよい。さらに例えば、成形＝成型、ばね＝バネ＝スプリング、プラスチック＝樹脂などといった同義語辞典を作成し、検索システムに搭載してもよい。
【００４０】
このように、本発明に係る技術情報検索システムによれば、各ユーザーが、工場まで足を運ぶ手間、時間、交通費をかけることなく、自分の都合のよい時間に、都合のよい場所で、遠隔地にある工場の見学用情報や技術プロセス情報等を検索して見ることができる。
【実施例２】
【００４１】
本発明の実施例１に係る技術情報検索システムを利用して、いわゆるｅラーニングと呼ばれる技術情報教育システムを構成することができる。
【００４２】
図１に示した技術情報検索システム１は、技術情報教育システムとしての構成をも有しており、工場に関する動画像、静止画像、テキスト情報等を作成する情報端末ＰＣ（Personal Computer）５と、前記情報端末ＰＣ５からの前記情報が入力されるサーバ2と、サーバ２に接続され、サーバ２が前記情報端末ＰＣ５から入力された上記情報を記録、保存するデータベース３と、教育に関するスケジュールを作成する複数の管理者ＰＣ７と、管理者ＰＣ７から送信されたスケジュールをインターネット通信網４を通じて受信し、サーバ２に対してデータベース３に記憶された情報の検索をインターネット通信網４を通じて行い、検索結果に基づいてレポートを作成し、管理者ＰＣ７に対してレポートを送信する複数のユーザーＰＣ６とを備える。
【００４３】
図４は、本発明の実施例２に係る技術情報教育システムのフローチャートである。まず、各種メーカー、研究所及び教育機関等の管理者又は上司は、管理者ＰＣ７を利用して新入社員の技術に関する教育メニューの一つとして、例えば「いつまでにどこの工場を見学すること」、「ある特定の技術について確認すること」、「実際にどこの工場見学を依頼すること」等の課題となるスケジュールの作成を行い、各新入社員に対応するユーザーＰＣ６に対してスケジュールの送信を行う（Ｓ１）。
【００４４】
次に、新入社員は、ユーザーＰＣ６において管理者又は上司からのそのスケジュールを受信して、スケジュール中に指示された課題を指定期間内に達成するため、本発明の実施例１に係る技術情報教育システム１のサーバ２におけるホームページを利用した各工場の検索、企業のホームページの閲覧及び実際の工場見学の依頼等を行う（Ｓ２）。
【００４５】
次に、新入社員は、ホームページでの検索、閲覧及び実際の工場見学を行った結果に基づいて特定の工場や技術に関するレポートの作成を行う（Ｓ３）。なお、その際、ユーザーＰＣ６内の履歴作成アプリケーションが自動的に起動され、いつどのような検索、閲覧、質問を行い、回答を得たか等の教育の履歴がレポートに自動的に記録される。
【００４６】
次に、新入社員は、ユーザーＰＣ６を利用して管理者又は上司に対して作成したレポートの報告を送信により行う（Ｓ４）。次に、管理者又は上司は、管理者ＰＣ７において新入社員から受信したレポートのチェックを行う（Ｓ５）。また、レポートをチェックした結果、修正すべき点などの種々のアドバイスを管理者ＰＣ７を利用して新入社員に対して送信する。新入社員は、そのチェック結果を見て次の課題にあたるなどして、効率よく技術レベルの向上に繋げていくことができる。
【００４７】
このように、本発明に係る技術情報検索システム、技術情報教育システム及びその方法によれば、動画コンテンツを利用したバーチャル工場見学等が可能となり、様々な技術や製造プロセスに精通した優秀な人材を生み出す一翼となることができる。
【００４８】
以上、本発明に係る技術情報検索システム、技術情報教育システムの実施例について説明を行ったが、本発明は説明を行った実施例に限定はされず、例えば、本発明の実施の形態においては製造業の企業に関連した技術情報検索システム、技術情報教育システムとしたが、他の業種の情報検索システム、情報教育システムとして適用してもよい。
【産業上の利用可能性】
【００４９】
本発明は、インターネットのホームページを利用した技術情報検索システム、技術情報教育システム及びその方法に適用できる。
【図面の簡単な説明】
【００５０】
【図１】本発明の実施例１に係る技術情報検索システム及び技術情報教育システムのブロック図である。
【図２】本発明の実施例１に係る技術情報検索システムの画面の一例を示す図である。
【図３】本発明の実施例１に係る技術情報検索システムの画面の一例を示す図である。
【図４】本発明の実施例２に係る技術情報教育システムのフローチャートである。
【符号の説明】
【００５１】
１  技術情報検索システム
２  サーバ
３  データベース
４  インターネット通信網
５  情報端末ＰＣ
６  ユーザーＰＣ
７  管理者ＰＣ
１０  メニュー画面
１１  「バーチャル工場見学」ボタン
１２  「技術ピックアップムービー」ボタン
１３  「工場検索」ボタン
１４  「技術Ｑ＆Ａ」ボタン
１５  検索キーワード欄
２０  「バーチャル工場見学」画面
２１  映像表示モニタ
２２  タイトル表示欄
２３  見学時間表示欄
２４  ナレーション表示欄
２５  進行表示部
２６  再生ボタン
２７  停止ボタン
２８  巻き戻しボタン
２９  早送りボタン
３０ａ〜３０ｃ  検索一致ポイント
【図１】
2006323474.tif 000003
【図２】
2006323474.tif 000004
【図３】
2006323474.tif 000005
【図４】
2006323474.tif 000006